(57)【要約】【課題】保育園に通う園児の歯科の診療にあたり、保護者にとっては、園児に付き添う必要がなくなるため時間を有効に使えるようになる他、歯科医師にとっては保護者の付き添いがなくても、保護者との意志疎通により、現状の症状に対応した適切な治療が実施できることが期待できる歯科の検診及び治療を行うシステムを提供する。【解決手段】検診時撮影したレントゲン画像１２と、歯科医師の作成した治療計画情報１３とを、保護者用携帯端末１０に送信する。治療時において、前記治療方針と異なる治療方針により治療を行う必要がある場合は、歯科医師は、保護者用携帯端末１０に治療方針変更通知を送信し、保護者は前記保護者用携帯端末１０を通して歯科医師に、それに対する同意又は非同意の通知を送信する。【選択図】　図１
2004057320.tif 000002
【特許請求の範囲】
【請求項１】
通信回線を介して、歯科用パノラマレントゲン装置を有する自走式車両に設置された車載端末と、
歯科医院に設置された歯科医院端末と、
保育園に設置された保育園端末と、
保護者用携帯端末とに接続可能な管理サーバを備えた保育園児の歯科診療を支援する歯科診療支援システムであって、
前記車載端末には、検診時に前記歯科用パノラマレントゲン装置により撮影されたレントゲン画像が記憶され、
前記管理サーバには、前記車載端末から送信された前記レントゲン画像と、前記歯科医院端末から送信された検診結果に基づく治療計画情報と、保護者用携帯端末の通知先とが、園児ＩＤと対応づけて記憶され、
前記管理サーバは、
前記歯科医院端末から園児ＩＤを受信した場合、当該園児ＩＤに対応する保護者用携帯端末に対し、前記園児ＩＤに対応するレントゲン画像及び治療計画情報を送信し、
治療時に、前記保育園端末から園児ＩＤ及び当該園児ＩＤに対応する治療方針変更通知を受信した場合、前記園児ＩＤに対応する保護者用携帯端末に前記治療方針変更通知を送信し、
前記保護者用携帯端末から前記治療方針変更通知に対する、同意又は非同意の通知を受信した場合、前記保育園端末に当該通知を送信することを特徴とする歯科診療支援システム。
【請求項２】
前記管理サーバは、前記保育園端末から当該保育園端末に入力された園児ＩＤを受信した場合、当該受信した園児ＩＤが前記管理サーバに記憶されているか否かの通知を前記保育園端末に送信することを特徴とする歯科診療支援システム。
【請求項３】
前記管理サーバは、前記保育園端末から園児ＩＤ及び当該園児ＩＤに対応する治療開始通知を受信した場合、前記園児ＩＤに対応する保護者用携帯端末に当該治療開始通知を送信し、
前記保護者用携帯端末から治療に対する同意又は非同意の通知を受信した場合、前記保育園端末に当該通知を送信することを特徴とする請求項１又は２に記載の歯科診療支援システム。
【請求項４】
前記管理サーバは、前記歯科医院端末から園児ＩＤ及び当該園児ＩＤに対応する園児の治療日に関する情報を受信した場合、前記園児ＩＤに対応する保護者用携帯端末に前記治療日に関する情報を送信することを特徴とする請求項１、２又は３に記載の歯科診療支援システム。
【発明の詳細な説明】
【０００１】
【発明の属する技術分野】
本発明は、歯科医師が保育園を訪問して歯科の診療を行う際に利用できる歯科診療支援システムに関する。
【０００２】
【従来の技術】
保育園、特に公立の保育園の園児の保護者は、園児の歯科の診療に当たり、自ら園児を歯科医院へ連れて行くことは困難を伴うものである。これは、公立の保育園への入所の条件として、親が働いているなどの事情で子供の面倒を見る人がいないことが法的に求められていることから、必然的に公立の保育園に通う園児の保護者は、通常、昼間は時間を自由に使うことができない場合が多くなるからである。また、民間の保育園でも親が働いている場合が多いため、昼間園児を歯科医院へ連れて行くのが困難であるという事情は同じである。
【０００３】
【発明が解決しようとする課題】
そこで、歯科医師が保育園を訪問し、検診及び治療を行うことが考えられるが、
保護者にとっては、園児に付き添うことができないので、検診の結果や治療内容を把握しにくく、治療時に歯科医師との意志の疎通もできないので、納得できる治療を受けることが期待できなかった。また、歯科医師にとっても、保護者の付き添いなしで検診及び治療を行うことは、必要な保護者の同意を随時得ることができないため、望ましいものではなかった。これは、例えば、検診の結果に基づいて治療を行う場合、治療の内容について事前に保護者の了解を得ていたとしても、検診時の症状と治療時の症状が異なり（例えば治療時に、検診時になかった歯茎の腫れが認められるなど）、治療内容を変更せざるを得ない事態が生じても、保護者の同意をその場で即座に得ることができず、症状に応じた適切な治療ができないためである。
【０００４】
本発明は、斯かる従来の問題点を解決するべくなされたものであり、保護者にとっては園児が歯科医師の検診や治療を受けるときに、園児に付き添う必要がなくなるため時間を有効に使えるようになる他、職場などにいながら検診の結果や治療内容が把握でき、また歯科医師との意志の疎通も行えるため、納得のできる、かつ現状の症状に対応した治療を受けることが期待できる一方、歯科医師にとっては、保育園において保護者の付き添いがなくても保護者との意志疎通により、現状の症状に対応した適切な治療が実施できることが期待できる歯科診療支援システムを提供することを課題とする。
【０００５】
【課題を解決するための手段】
前記課題を解決するべく、本発明は、通信回線を介して、歯科用パノラマレントゲン装置を有する自走式車両に設置された車載端末と、歯科医院に設置された歯科医院端末と、保育園に設置された保育園端末と、保護者用携帯端末とに接続可能な管理サーバを備えた保育園児の歯科診療を支援する歯科診療支援システムであって、前記車載端末には、検診時に前記歯科用パノラマレントゲン装置により撮影されたレントゲン画像が記憶され、前記管理サーバには、前記車載端末から送信された前記レントゲン画像と、前記歯科医院端末から送信された検診結果に基づく治療計画情報と、保護者用携帯端末の通知先とが、園児ＩＤと対応づけて記憶され、前記管理サーバは、前記歯科医院端末から園児ＩＤを受信した場合、当該園児ＩＤに対応する保護者用携帯端末に対し、前記園児ＩＤに対応するレントゲン画像及び治療計画情報を送信し、治療時に、前記保育園端末から園児ＩＤ及び当該園児ＩＤに対応する治療方針変更通知を受信した場合、前記園児ＩＤに対応する保護者用携帯端末に前記治療方針変更通知を送信し、前記保護者用携帯端末から前記治療方針変更通知に対する、同意又は非同意の通知を受信した場合、前記保育園端末に当該通知を送信することを特徴とする歯科診療支援システムを提供するものである。
【０００６】
斯かる発明によれば、管理サーバには前記車載端末から送信された検診時に撮影されたレントゲン画像と、前記歯科医院端末から送信された検診結果に基づく治療計画情報と、保護者用携帯端末の通知先とが、園児ＩＤと対応づけて記憶される。ここで、前記管理サーバは、前記歯科医院端末から園児ＩＤを受信した場合、当該園児ＩＤに対応する保護者用携帯端末に対し、前記園児ＩＤに対応するレントゲン画像及び治療計画情報を送信する。従って、園児の保護者にとっては職場などにいながら保護者用携帯端末を通してレントゲン画像と治療計画情報とにより検診の結果を知ることができるため、園児が歯科医師の検診を受けるときに園児に付き添う必要がなくなり時間を有効に使うことが可能である。
【０００７】
また、本発明によれば、管理サーバは、治療時に前記保育園端末から園児ＩＤ及び当該園児ＩＤに対応する治療方針変更通知を受信した場合、前記園児ＩＤに対応する保護者用携帯端末に前記治療方針変更通知を送信し、前記保護者用携帯端末から前記治療方針変更通知に対する、同意又は非同意の通知を受信した場合、前記保育園端末に当該通知を送信することができる。
【０００８】
歯科医師が治療を行おうとした場合、症状が検診時と変化しており事前に保護者に連絡した方針通りに治療できないことがある。このような場合、歯科医師は、保護者に対して治療方針を変更する旨を通知し、保護者は、それに対して折り返し同意又は非同意の意思表示をすることができる。従って、園児の保護者にとっては、歯科医師との意志の疎通を行うことにより園児が納得のできる、かつ現状の症状に対応した治療を受けることが期待できる。また、この場合も検診の場合と同様、園児が歯科医師の検診を受けるときに園児に付き添う必要がなくなるため時間を有効に使うことが可能である。
【０００９】
好ましくは、前記管理サーバは、前記保育園端末から当該保育園端末に入力された園児ＩＤを受信した場合、当該受信した園児ＩＤが前記管理サーバに記憶されているか否かの通知を前記保育園端末に送信するように構成される。
【００１０】
斯かる発明によれば、歯科医師は、園児の園児ＩＤが管理サーバに登録されていることを確認することで、治療の開始前に園児が本人であることを確認できるため園児を取り違える事故を防ぐことができる。
【００１１】
好ましくは、前記管理サーバは、前記保育園端末から園児ＩＤ及び当該園児ＩＤに対応する治療開始通知を受信した場合、前記園児ＩＤに対応する保護者用携帯端末に当該治療開始通知を送信し、前記保護者用携帯端末から治療に対する同意又は非同意の通知を受信した場合、前記保育園端末に当該通知を送信するように構成される。
【００１２】
斯かる発明によれば、歯科医師は、治療の開始前に治療の実施について保護者の意思を確認することができるため、保護者の同意を得ることなく治療をすることによるトラブルの発生を回避することができる。一方、保護者にとっても同意なしに治療が行われることがなくなり、またその後の歯科医師からの連絡に備えることで歯科医師との円滑な意志疎通ができることが期待できる。
【００１３】
前記管理サーバは、前記歯科医院端末から園児ＩＤ及び当該園児ＩＤに対応する園児の治療日に関する情報を受信した場合、前記園児ＩＤに対応する保護者用携帯端末に前記治療日に関する情報を送信するように構成される。
【００１４】
斯かる発明によれば保護者は、治療日即ち検診の結果に基づく治療が行われる日を事前に知ることができるため治療当日歯科医師からの連絡に備えることができ、歯科医師との円滑な意志疎通ができることが期待できる。
【００１５】
【発明の実施の形態】
以下、添付図面を参照しつつ、本発明の実施形態について説明する。
図１は、本発明の一実施形態に係る歯科診療支援システムを示す概略構成図である。本実施形態に係る歯科診療支援システム１は、通信回線としてのインターネット２を介して、歯科用パノラマレントゲン装置３を有する自走式車両としての歯科用レントゲン車４に設置された車載端末５と、歯科医院６に設置された歯科医院端末７と、保育園８に設置された保育園端末９と、保護者用携帯端末としての保護者用携帯電話１０と接続可能な管理サーバ１１を備えている。前記車載端末には、検診時に前記歯科用パノラマレントゲン装置３により撮影されたレントゲン画像１２が記憶されて、管理サーバ１１には、前記車載端末５から送信されたレントゲン画像１２と、前記歯科医院端末７から送信された検診結果に基づく治療計画情報１３と、保護者用携帯端末１０の通知先とが、園児ＩＤと対応づけて記憶されている。
【００１６】
前記歯科用レントゲン車４としては、例えば特願２００２−１１６１１１号明細書に開示されている歯科用レントゲン車を使用することができる。当該歯科用レントゲン車４は、マイクロバス又はワンボックスカーをベースにした小型車両で、患者の歯の重なり合いが少なく見えるようにパノラマ撮影する歯科用パノラマレントゲン装置３を備えている。当該歯科用レントゲン車４においては、レントゲン装置の主要部であるＸ線照射部や撮影部などを具備したヘッド部は、前記レントゲン装置を備えたレントゲン室の上方から吊り下げ部材を介して支持されており支柱を持たない。そして、当該ヘッド部は、前記レントゲン室の片方側に設けられている格納位置まで移動自在であるため、歯科医師や看護婦等がレントゲン室内で活動するときの邪魔にならないという有利な点を有している。なお、前記歯科用レントゲン車４としては、上記例示のものに限らず歯科用パノラマレントゲン装置３を有する自走式車両であれば、何れのものも使用可能である。
【００１７】
歯科用パノラマレントゲン装置３は、車載端末５と信号線で結合されており、撮影したレントゲン画像１２を当該信号線を通して車載端末５に送信し記憶させることができる。車載端末５は、記憶しているレントゲン画像１２をインターネット２を介して管理サーバ１１に送信し記憶させることができる。車載端末５とインターネット２との接続は、有線方式でも無線方式のどちらによっても行うことができる。
【００１８】
歯科医院６に設置された歯科医院端末７は、歯科医師が検診の結果に基づいて作成した治療計画情報１３を管理サーバ１１に送り記憶させることができる。
【００１９】
保育園端末９は、治療方針変更通知を管理サーバ１１に送信することができる。
また保育園端末９は、後述の本人確認を行うためのＩＤカード読み取り手段を備えている。
【００２０】
保護者用携帯電話１０は、電子メールにより、また管理サーバ１１内に設けられたＷＥＢサイトとの通信により情報の送受信を行う機能を有し、テキスト情報や画像を表示するディスプレイを備えている。
【００２１】
次に、以上の装置構成を有する歯科診療支援システム１の利用方法及び動作について説明する。
（１）検診時
歯科医師は、前記歯科用レントゲン車４にて保育園を訪れ、目視による検診及びレントゲン画像１２の撮影を行う。検診の後、歯科医師は、歯科医院にて検診の結果に基づいて治療計画情報１３を作成する。治療計画情報１３には治療の対象となる歯、治療内容、治療回数等についての治療行為そのものに対する情報が含まれている。次いで歯科医師は、園児の保護者に検診の結果を連絡するために、治療計画情報１３に検診時に撮影した園児のレントゲン画像１２を添付して保護者用携帯電話１０に電子メールを送信する。具体的には歯科医師は、歯科医院端末７から該当する園児の園児ＩＤを管理サーバ１１に送信する。管理サーバ１１は、歯科医院端末７から園児ＩＤを受信した場合、当該園児ＩＤに対応する保護者用携帯電話１０に対し、前記園児ＩＤに対応するレントゲン画像１２及び治療計画情報１３を電子メールで送信する。図２は、保護者用携帯電話１０のディスプレイに表示されたレントゲン画像１２と治療計画情報１３の一例である。なお、保護者用携帯電話１０のディスプレイにレントゲン画像１２を表示するときは、レントゲン画像１２全体をディスプレイ全体に表示する他、詳細部分を確認するために任意の部分を指定して拡大表示したり、拡大部分をスクロールして画像全体を見ることができるようにすることが望ましい。
【００２２】
なお、レントゲン画像１２はデータ容量が大きいため電子メールでは高精細の画像を送信することが困難である。そこで管理サーバ１１内にレントゲン画像１２専用のＷＥＢサイトを設けて当該サイトに高精細のレントゲン画像１２を保存しておき、保護者用携帯電話１０で閲覧するようにしてもよい。この場合、治療計画情報１３にＷＥＢサイトのＵＲＬをリンク可能に表示するようにすれば保護者は容易に当該ＷＥＢサイトにアクセスすることができる。
【００２３】
また、治療計画情報１３を受信した保護者が折り返し当該治療計画情報１３を作成した歯科医師に、治療計画に対する質問ができるようにしてもよい。この場合は、管理サーバ１１内に質問用ＷＥＢページを設け、保護者用携帯電話１０のディスプレイに治療計画情報１３を表示するとき、治療計画情報１３と共に、当該質問用ＷＥＢページのＵＲＬをリンク可能に表示しておく。歯科医師に治療計画に対する質問をしようとする保護者は、質問用ＷＥＢページに画面を移し当該質問用ＷＥＢページに質問事項を記入する。当該記入した質問事項はブラウザの機能により管理サーバ１１に送信する。管理サーバ１１は、保護者用携帯電話１０から治療計画情報１３に対する質問事項を受信した場合、歯科医院端末７に当該質問事項を送信する。歯科医師は、歯科医院端末７により治療計画情報１３に対する保護者の質問事項を確認することができる。
【００２４】
また、保護者は治療計画情報１３を受信したときに限らず、随時歯科医師に対して質問ができるようにするのが好ましい。保護者が歯科医師に対して質問をしようとするときは、保護者用携帯電話１０から、質問用ＷＥＢページを呼び出して質問事項を書き込み、ブラウザの機能により質問事項を管理サーバ１１に送信する。管理サーバ１１は、保護者用携帯電話１０から質問事項を受信した場合、保育園端末９に当該質問事項を送信する。歯科医師は、保育園端末９により保護者の治療に関する質問を確認することができる。
【００２５】
また、歯科医師は、歯の治療を実施する治療日を保護者に通知するときは歯科医院端末７から管理サーバ１１に、園児ＩＤ及び当該園児ＩＤに対応する園児の治療日に関する情報を送信する。管理サーバ１１は、歯科医院端末７から園児ＩＤ及び当該園児ＩＤに対応する園児の治療日に関する情報を受信した場合、前記園児ＩＤに対応する保護者用携帯電話１０に前記治療日に関する情報を電子メールで送信する。保護者用携帯電話１０のディスプレイには、治療が実施される年月日が、園児の氏名や園児ＩＤなどと共に表示される。
【００２６】
（２）治療時
歯科医師は、保育園８にて治療を行おうとしたとき、園児の症状が検診時と変化しているために事前に保護者に連絡した治療計画情報１３通りに治療できないことがある。このような場合歯科医師は、保育園端末９から管理サーバ１１に園児ＩＤ及び当該園児ＩＤに対応する治療方針変更通知を送信する。管理サーバ１１は、保育園端末９から治療方針変更通知を受信した場合、前記園児ＩＤに対応する保護者用携帯電話１０に治療方針変更通知を電子メールで送信する。ここで治療方針変更通知には、管理サーバ１１内に設けられている回答用ＷＥＢページのＵＲＬが含まれており、保護者用携帯電話１０のディスプレイには、治療方針変更の内容と共に前記ＵＲＬがリンク可能に表示される。
【００２７】
前記治療方針変更通知を保護者用携帯電話１０で受信した保護者は、前記回答用ＷＥＢページに画面を移す。回答用ＷＥＢページは、例えば同意の場合は「１．同意」に、非同意の場合は「２．同意しない」にカーソルを合わせることにより、治療方針の変更に対する同意又は非同意の回答を行うフォームを有している。保護者は、当該フォームに従って回答をし、回答をブラウザの機能により管理サーバ１１に送信する。管理サーバ１１は、保護者用携帯電話１０から治療方針変更通知に対する、同意又は非同意の回答を受信した場合、保育園端末９に当該回答を送信する。歯科医師は、保育園端末９により治療方針変更通知に対する保護者の同意又は非同意の意志を確認することができる。なお、上記回答の保護者用携帯電話１０から保育園端末９への送信は、回答用ＷＥＢページを使用せず、管理サーバ１１を介して電子メールを用いて行ってもよい。
【００２８】
なお、治療の開始にあたり歯科医師は、園児を取り違える事故を防止するためＩＤカードを用いて本人確認を行うことができる。ＩＤカードは、園児の園児ＩＤのデータが磁気記録されたカードで、例えば検診時に各園児に交付される。具体的には歯科医師は、治療開示前に園児の所持しているＩＤカードに記録されている園児ＩＤのデータを保育園端末９が備えているＩＤカード読み取り手段で読み取り保育園端末９に記憶させる。次いで当該園児ＩＤを管理サーバ１１に送信する。管理サーバ１１は、保育園端末９から当該保育園端末９に入力された園児ＩＤを受信した場合、当該受信した園児ＩＤが当該管理サーバ１１に記憶されているか否かの通知を保育園端末９に送信する。歯科医師は、前記園児ＩＤが前記管理サーバ１１に記憶されていた場合は当該園児を本人と認定する。なお、本実施形態ではＩＤカードに記録されている園児ＩＤをＩＤカード読み取り手段で読み取る場合について説明したが、本発明はこれに限るものではなく、園児が持参したＩＤカードに表示された園児ＩＤを歯科医師が目視で読み取り、保育園端末９のキーボードで手入力するなど、保育園端末９への入力である限りにおいて、種々の構成を採用することができる。
【００２９】
また、歯科医師は、治療の開始前に、治療の実施について保護者の意思を確認するために、保育園端末９から管理サーバ１１に園児ＩＤ及び当該園児ＩＤに対応する治療開始通知を送信する。管理サーバ１１は、保育園端末９から園児ＩＤ及び当該園児ＩＤに対応する治療開始通知を受信した場合、前記園児ＩＤに対応する保護者用携帯電話１０に当該治療開始通知を電子メールで送信する。ここで治療開始通知には、管理サーバ１１に保存されている回答用ＷＥＢページのＵＲＬが含まれており、保護者用携帯電話１０のディスプレイには、治療開始通知の内容と共に前記ＵＲＬがリンク可能に表示される。
【００３０】
前記治療開始通知を保護者用携帯電話１０で受信した保護者は、前記回答用ＷＥＢページに画面を移す。当該回答用ＷＥＢページは、前記治療方針変更通知の場合と同様の、治療開始に対する同意又は非同意の回答を行うフォームを有する。保護者は、当該フォームに従って回答をし、回答を管理サーバ１１に送信する。管理サーバ１１は、保護者用携帯電話１０から治療開始通知に対する、同意又は非同意の回答を受信した場合、保育園端末９に当該回答を送信する。歯科医師は、保育園端末９により治療開始通知に対する保護者の同意又は非同意の意志を確認することができる。
【００３１】
なお、治療方針変更通知及び治療開始通知において使用される回答用ＷＥＢページにおける回答の記入形式としては、前述のような択一式の他、複数選択式、自由回答式、ＹＥＳ／ＮＯ式のものを使用することができる。また、回答にあたって回答必須、回答任意等の条件を設定することもできる。
【００３２】
また、歯科医師は、保護者に対して上記治療方針変更通知及び治療開始通知以外に何らかの同意又は非同意の回答を求める必要が生じた場合、或いは質問事項が発生した場合、車載端末５、歯科医院端末７、保育園端末９の何れの端末からでも上述の治療方針変更通知及び治療開始通知の場合と同様に管理サーバ１１を介して保護者用携帯電話１０に同意又は非同意の回答を求める旨の通知或いは質問事項を電子メールで送信することができるようにするとよい。当該通知或いは質問事項を保護者用携帯電話１０で受信した保護者は、この場合も治療方針変更通知及び治療開始通知の場合と同様に、回答用ＷＥＢページに回答を記入して回答を管理サーバ１１を介して前記通知或いは質問事項を送信した端末に送信する。なお、保護者が当該通知或いは質問事項を管理サーバ１１を介して送信するのは、当該通知或いは質問事項を送信した端末に限るものではなく、他の端末或いはＦＡＸに対してでもよい。
【００３３】
なお、本発明に係る歯科診療支援システム１は、サーバ運営者にとっても、保護者と歯科医師との間で情報の仲介を行うことにより、歯科医師より仲介料を得ることが期待できるものである。
【００３４】
【発明の効果】
以上に説明したように、本発明に係る歯科診療支援システムによれば、園児の保護者にとっては、職場などにいながら保護者携帯端末を通してレントゲン画像と治療計画情報により、検診の結果を知ることができるため、園児が歯科医師の検診を受けるときに、園児に付き添う必要がなくなるため時間を有効に使うことが可能である。また、治療に際しても歯科医師との意志の疎通を行うことにより園児が、納得のできる、かつ現状の症状に対応した効果的な治療を受けることが期待できる。この場合も、検診の場合と同様、園児が歯科医師の検診を受けるときに、園児に付き添う必要がなくなるため時間を有効に使うことが可能である。
【００３５】
一方、歯科医師にとっては、保育園において、保護者の付き添いがなくても、保護者との意志疎通により、現状の症状に対応した適切な治療が実施できることが期待できるものである。
【図面の簡単な説明】
【図１】図１は、本発明の一実施形態に係る歯科診療支援システムを示す概略構成図である。
【図２】図２は、上記実施形態に係る画像データと、治療計画情報の一例を示す図である。
【符号の説明】
１　歯科診療支援システム
２　インターネット
３　歯科用パノラマレントゲン装置
４　歯科用レントゲン車
５　車載端末
６　歯科医院
７　歯科医院端末
８　保育園
９　保育園端末
１０　保護者用携帯電話
１１　管理サーバ
１２　レントゲン画像
１３　治療計画情報
【図１】
2004057320.tif 000003
【図２】
2004057320.tif 000004